(57)【要約】【課題】  １回の操作で複数枚の画像を撮影した場合であっても記録容量を有効利用し、多くの撮影を可能とする電子カメラ及びその制御方法を提供する。【解決手段】  電子カメラ１０は、レンズ１、絞り２、シャッタ３、イメージセンサ４及びフォーカス制御部５を有し、１回の撮影で撮影条件を変化させた複数枚の画像を撮影する。また、撮影画像を記録する記録媒体７及びユーザよりの撮影指示を受け取る操作部８と、これらを制御する制御装置６とを有する。制御装置６は、撮影画像に対する評価値を、露光条件などの撮影条件から算出し、記録媒体７へ撮影画像と共に記録し、その記憶容量の残量が少なくなった場合には、撮影画像の評価値に応じて記録媒体７に格納されている撮影画像を消去し、記憶容量を確保する。【選択図】  図１
2006324920.tif 000002
【特許請求の範囲】
【請求項１】
１回の操作で撮影条件を変化させて複数枚の画像を撮影する撮影処理部と、
撮影画像を記録する記録媒体と、
前記撮影画像の評価値に基づき前記記録媒体に一旦記録された前記撮影画像を削除する削除処理を実行する制御部とを有する電子カメラ。
【請求項２】
前記制御部は、前記記録媒体の記憶容量に応じて、前記削除処理を実行する
ことを特徴とする請求項１記載の電子カメラ。
【請求項３】
前記制御部は、撮影指示に応じて、前記削除処理を実行する
ことを特徴とする請求項１記載の電子カメラ。
【請求項４】
前記制御部は、前記撮影条件に基づき撮影画像の評価値を求める
ことを特徴とする請求項１記載の電子カメラ。
【請求項５】
前記制御部は、撮影時の手ぶれ状態に基づき前記評価値を求める
ことを特徴とする請求項１記載の電子カメラ。
【請求項６】
前記制御部は、前記撮影画像から得られる画像パラメータに基づき前記評価値を求める
ことを特徴とする請求項１記載の電子カメラ。
【請求項７】
前記制御部は、前記記録媒体の空容量が所定値未満になった場合、前記評価値が低い１又は複数の撮影画像を削除する前記削除処理を実行する
ことを特徴とする請求項１記載の電子カメラ。
【請求項８】
前記制御部は、前記評価値に応じて前記撮影画像を異なるフォルダに分類し、この分類結果に基づき前記削除処理を実行する
ことを特徴とする請求項１記載の電子カメラ。
【請求項９】
１回の操作で撮影条件を変化させて複数枚の画像を撮影し、
前記撮影した撮影画像を記録媒体に記録し、
前記撮影画像の評価値に基づき前記記録媒体に一旦記録された前記撮影画像を削除する削除処理を実行する電子カメラの制御方法。
【請求項１０】
前記記録媒体の空容量が所定値未満になった場合に、前記削除処理を実行する
ことを特徴とする請求項９記載の電子カメラの制御方法。
【請求項１１】
外部からの指示に応じて、前記削除処理を実行する
ことを特徴とする請求項９記載の電子カメラの制御方法。
【請求項１２】
撮影する毎に撮影画像の評価値を求め、
前記撮像画像と共にその評価値を前記記録媒体に記録し、
前記削除処理を実行する
ことを特徴とする請求項９記載の電子カメラの制御方法。
【請求項１３】
撮影する毎に撮影画像の評価値を求め、
前記評価値に応じて前記撮影画像を異なるフォルダに分類し、
前記分類結果に基づき前記削除処理を実行する
ことを特徴とする請求項９記載の電子カメラの制御方法。
【発明の詳細な説明】
【技術分野】
【０００１】
本発明は、例えば１回の操作で撮影条件を異ならせて複数枚の画像を撮影するブラケティング機能を有する電子カメラ及びその制御方法に関し、特に撮影画像を記憶する記録媒体の記憶容量の有効活用を図った電子カメラ及びその制御方法に関する。
【背景技術】
【０００２】
電子カメラにおいて、露出、フォーカス又はホワイトバランス等の撮影条件の決定は、良好な画像を撮影するために重要である。しかし手動又は自動によって撮影条件を決定しても、必ずしも良好な条件を選択できるとは限らない。したがって、より確実に良好な画像を撮影するために、１回の操作で複数の撮影条件の画像を撮影するオートブラケティングという手法が使用される。特に、露出条件についてのオートブラケティングであるオートエクスポージャブラケティング（ＡＥＢ）が広く使用されている。
【０００３】
ＡＥＢは、最適と判断された露出条件及びその前後数段階の露出条件についての撮影を自動的に行うブラケティングである。例えば最適な露出のシャッタースピードが１２５分の１秒だった場合、１回の撮影の操作で、＋２段の３０分の１秒、＋１段の６０分の１秒、適正露出である１２５分の１秒、−１段の２５０分の１秒、及び−２段の５００分の１秒を順に撮影する。同様に、最適と判断された焦点及びその前後数段階の焦点条件で撮影を行うオートフォーカスブラケティング（ＡＦＢ）、最適と判断されたホワイトバランス条件及び前後数段階のホワイトバランス条件で撮影を行うオートホワイトブラケティング（ＡＷＢ）なども使用されている。
【０００４】
このようなブラケティング機能を有する電子カメラにおいては、従来以下のような制御が行われる。すなわち、先ず、図３に示すように、ユーザにより撮影の指示がなされると（ステップＳ１１）、電子カメラの制御部は、その記録媒体に撮影画像を保存する空容量が存在するか否かを判断する（ステップＳ１２）。記録媒体に撮影画像を保存する空容量がなければ撮影不能とし（ステップＳ１３）、例えばその旨の表示をするなどして処理を終了する。一方、記録媒体に空容量が存在する場合には、撮影を実行し（ステップＳ１４）、イメージセンサの出力を画像データとして読み込み、適宜圧縮等の変換を行い、その画像データを記録媒体に保存する（ステップＳ１５）。
【０００５】
このようなブラケティング機能を利用することで、最適な条件で撮影する可能性を高め、電子カメラが自動的に決定した最適条件以外の撮影条件でも撮影することで、被写体となる対象、環境、又はユーザの好みなどに応じた画像を取得することができる。
【０００６】
これに対し、同一の条件で複数回の撮影を行い、その中から最良の画像のみを選択して記録メディアに保存することにより手ぶれ等による撮影失敗防止を図った電子カメラが特許文献１に記載されている。この特許文献１に記載の電子カメラは、被写体を連続的に撮影し、この連続的に撮影される複数枚の画像データを一時記憶する。そして、一時記憶した画像データについて、撮影状態の良否を評価し、一時記憶した画像データの内から、評価が一番高い画像データを選択し、保存する。このことにより、撮影状態の良好な画像データを選択的に得ることができ、撮影期間中は、画像データを一時記憶しておき、画像データの選択処理は撮影完了後に行うことで、撮影期間中の処理動作を軽減する。
【特許文献１】特開平１１−１３６５５７号公報
【発明の開示】
【発明が解決しようとする課題】
【０００７】
しかしながら、適切な撮影条件で撮影する可能性を高めるため、１回の操作で複数枚の撮影を同時に行うオートブラケティング機能を利用した場合、１回の操作において複数枚の画像を取得することとなり、これを記憶するために必要な記憶容量が大きくなる。例えばＡＥＢを使用し、最適と判断された露出及びその前後それぞれ２枚の合計５枚を撮影することとすると、最適と判断された露出で１枚撮影をした場合に比して５倍の記録容量を必要とする。このため、記録媒体に本来格納可能な画像が５分の１に減ってしまう。よって、例えば記録媒体に空領域がない状態で新たに撮影を行うときには、記録媒体内の画像から不要な画像を消去して新たな撮影を行う必要があり、不要な画像を判断して選択するための操作・時間が必要になってしまう。
【０００８】
一方、特許文献１に記載の技術のように、複数回の撮影のうち、最良と判断した画像を自動的に選択し、その画像のみを記録媒体に保存する方式では、撮影後の選択処理に時間がかかる。また、選択されなかった画像を残すことができず、例えば、後で選択されなかった画像を見る必要が生じた時に、これを見ることができないという問題点もある。
【０００９】
本発明は、このような問題点を解決するためになされたものであり、１回の操作で複数枚の画像を撮影した場合であっても記録容量を有効利用し、多くの撮影を可能とする電子カメラ及びその制御方法を提供することを目的とする。
【課題を解決するための手段】
【００１０】
上述した目的を達成するために、本発明にかかる電子カメラは、１回の操作で撮影条件を変化させて複数枚の画像を撮影する撮影処理部と、撮影画像を記録する記録媒体と、前記撮影画像の評価値に基づき前記記録媒体に一旦記録された前記撮影画像を削除する削除処理を実行する制御部とを有する。
【００１１】
本発明においては、撮影画像の評価値を求めることで、記録媒体に一旦記録された撮影画像をその評価値に基づき削除することができ、必要なタイミングで記録媒体の空容量を増加させることができ、新たに撮影し記録する画像枚数を増やすことができる。
【００１２】
この場合、前記制御部は、前記記録媒体の記憶容量に応じて、又は撮影指示に応じて、前記削除処理を実行することができる。このことにより、記録媒体の空容量が例えば所定値未満であったり、撮影指示に応じたタイミングなど、必要なタイミングで削除処理を行い空容量を生成することができる。
【００１３】
また、前記制御部は、前記撮影条件、撮影時の手ぶれ状態、若しくは画像パラメータ、又はこれらの組み合わせに基づき前記評価値を求めることができる。このことにより、撮影画像を削除するか否かを決定するための判断基準となる評価値を環境又はユーザの好み・設定等に応じて算出することができる。
【００１４】
更に、前記制御部は、前記記録媒体の空容量が所定値未満になった場合、前記評価値が低い１又は複数の撮影画像を削除する前記削除処理を実行することができ、評価値が低い撮影画像から削除処理を実行して必要な空容量を生成することができる。
【００１５】
また、前記制御部は、前記評価値に応じて前記撮影画像を異なるフォルダに分類し、この分類結果に基づき前記削除処理を実行することができ、このことにより、より簡単に記録媒体の容量制御を実行することができる。
【００１６】
本発明にかかる電子カメラの制御方法は、１回の操作で撮影条件を変化させて複数枚の画像を撮影し、前記撮影した撮影画像を記録媒体に記録し、前記撮影画像の評価値に基づき前記記録媒体に一旦記録された前記撮影画像を削除する削除処理を実行するものである。
【００１７】
この場合、前記記録媒体の空容量が所定値未満になった場合に、前記削除処理を実行することができ、撮影画像を記録するために必要な空容量が不足した場合などに削除処理を行って必要な空容量を確保することができる。
【００１８】
また、外部からの指示に応じて、前記削除処理を実行することができ、ユーザが所望のタイミングで削除処理を実行させたり、撮影する毎に削除処理を実行したりすることができる。
【００１９】
この場合、撮影する毎に撮影画像の評価値を求め、前記撮像画像と共にその評価値を前記記録媒体に記録し、前記削除処理を実行することができる。
【００２０】
更に、撮影する毎に撮影画像の評価値を求め、前記評価値に応じて前記撮影画像を異なるフォルダに分類し、前記分類結果に基づき前記削除処理を実行することができ、撮影毎に撮影画像を評価し、評価に応じてフォルダに分類しておくことで、記録媒体の容量制御を更に容易に行うことができる。
【発明の効果】
【００２１】
本発明によれば、１回の操作で複数枚の画像を撮影した場合であっても記録容量を有効利用し、多くの撮影を可能とすることができる。例えば、記録媒体の記憶容量に余裕があるときは、オートブラケティング等によって複数種の条件の画像を撮影して、可能な限り複数の撮影画像を保存しておくことができる。また、記録媒体に空き容量が少ないとき等、必要に応じて不要と判断した画像を自動的に消去して新しい撮影画像を記録するための記憶容量を確保することができる。
【発明を実施するための最良の形態】
【００２２】
以下、本発明を適用した具体的な実施の形態について、図面を参照しながら詳細に説明する。この実施の形態は、本発明を、オートブラケティング機能を利用してもできるだけ多くの撮影画像を記録可能にする電子カメラ及びその制御方法に適用したものである。
【００２３】
図１は、本実施の形態にかかる電子カメラ１０の構成を示すブロック図である。電子カメラ１０は、レンズ１、絞り２、シャッタ３、イメージセンサ４及びフォーカス制御部５から画像を撮影する撮影処理部が構成される。更に、電子カメラ１０は、制御装置６、記録媒体７及び操作部８を有する。
【００２４】
レンズ１は、イメージセンサ４上に撮影対象を結像する。絞り２は、制御装置６の制御によりレンズ１を通過した光量を制御する。シャッタ３は、制御装置６の制御により露光時間を制御する。イメージセンサ４は、光学信号を電気信号へ変換する。フォーカス制御部５は、制御装置６の制御によりレンズ１の位置を調整する。制御装置６は、ユーザからの操作部８を介して送られる撮影指示により、絞り２の制御、シャッタ３の制御、フォーカス制御部５の制御を行って撮影をする。
【００２５】
制御装置６は、イメージセンサ４の信号を記録媒体７へ記録する形式に変換し、記録媒体７へ保存する。記録媒体７は、撮影した画像及びそれに付随する情報を記録するものであり、取り外し可能であっても、内蔵型のものであってもよい。操作部８は、ユーザが撮影指示その他の操作を行ったとき、制御装置６にその情報を指示する。
【００２６】
ここで、本実施の形態にかかる電子カメラは、１回の撮影で撮影条件等を変化させて複数枚の画像を撮影するいわゆるブラケティング機能を有する。ブラケティング機能には、例えば露出条件を変更しながら撮影を行うオートエクスポージャブラケティング（ＡＥＢ）、ホワイトバランス条件を変更しながら撮影を行うオートホワイトバランスブラケティング（ＡＷＢ）、フォーカス条件を変更しながら撮影を行うオートフォーカスブラケティング（ＡＦＢ）などがある。また、これらの撮影条件を組み合わせ、組み合わせた条件を変化させて複数枚の画像を撮影するようにしてもよい。更に撮影する枚数は、例えば最適撮影条件とその前後１段階の計３枚又は前後２段階の計５枚などとすることができ、撮影条件、撮影条件の組み合わせ、又は撮影枚数などは適宜ユーザが設定変更するようにすることも可能である。
【００２７】
ブラケティング機能により、１回の撮影操作で、電子カメラ１０が最適と判断した撮影条件とは別に、当該最適条件とは異なる撮影条件の画像を撮影しておくことができる。ユーザは、撮影環境又は被写体等に応じて、電子カメラ１０が判断する最適条件とは異なる撮影条件で撮影された撮影画像を取得することができる。ここで、ブラケティング機能を利用すると、１回の操作で撮影条件の異なる撮影画像を複数枚取得することができるが、これを保存するための記憶容量が必要となる。例えば、記録媒体７の記憶容量の空容量が十分である場合は、その記憶容量を考慮する必要はないものの、空容量が少なくなくなると、最悪の場合には撮影が不可能となってしまう。そこで、本実施の形態においては、制御装置６が、撮影した撮影画像について後述する評価値を求め、所定のタイミング、例えば記録媒体７に記録可能な撮影画像が所定枚数以下の空容量となったタイミングで、既に記録媒体７に格納されている撮影画像をその評価値に応じて削除することで記録容量を確保する処理を実効する。このことにより、記録媒体７の記録容量を確保し、新たに画像を撮影することができるようにするものである。
【００２８】
次に、この電子カメラの制御方法について説明する。図２は、本実施の形態にかかる電子カメラ装置の制御方法を示すフローチャートである。図２に示すように、制御装置６は、操作部８からユーザによる撮影指示を受け取る（ステップＳ１）。先ず、記録媒体の空容量があるか否かを判断する（ステップＳ２）。空容量があるか否かの判断は、記録媒体７にブラケティングに必要な最低容量以上の空容量が残っているか否かの判断をする。なお、ステップＳ１において、撮影指示は、通常の１枚のみの撮影（以下、通常モードともいう）の指示であるか、ブラケット撮影（以下、ブラケットモードともいう）の指示であるかを判断し、通常モードの撮影指示であれば、空容量が１枚以上あれば空容量ありと判断することもできる。すなわち、通常モードの１枚の撮影の場合には、１枚以上の空容量があれば撮影が可能であるが、ブラケティングにより撮影する場合には、例えば３枚又は５枚などの画像データの保存領域を必要とする。よって、ステップＳ２においては、通常モード又はブラケットモードに応じた必要な空容量があるか否かの判断をするようにしてもよい。また、空容量が１枚又は所定の枚数未満と判断され、必要な空容量なしと判断された場合には、記録媒体７の空容量を確保するための後述するステップＳ７以降の処理を行うが、空容量に応じてステップＳ７以降の処理を実行するか否かの判断をユーザに求めるようにしてもよい。ここでは、説明の簡単のため、ブラケティングに必要な空容量があるか否かを判断するものとして説明する。
【００２９】
記録媒体７の空容量がありと判断された場合（ステップＳ２：Ｙｅｓ）、制御装置６は、絞り２、シャッタ３、イメージセンサ４及びフォーカス制御部５を適宜制御して撮影を行う（ステップＳ３）。撮影後に制御装置６は、ステップＳ３の撮影が、通常モードであったか、ブラケットモードであったかを判断する（ステップＳ４）。そして、いずれのモードであっても撮影画像にその評価値を付し記録媒体７に保存する。
【００３０】
評価値は、撮影画像の重要度を示す数値であって、例えば重要度が低く、消去しても問題ないと判断されるものから必ず保存するものまでを例えば０乃至１００の数値でランク分けするような方法がある。例えば、撮影が通常の１枚のみである通常モードでの撮影であった場合には、当該撮影画像に最高の評価値を付け、記録媒体７に保存する（ステップＳ５）。例えば評価値を０乃至１００とする場合には、通常モードでの撮影画像には、最高の評価値である１００を設定し、この評価値と共に記録媒体７に保存する。
【００３１】
一方、撮影がブラケットモードであった場合、複数枚の撮影画像が取得される。制御装置６は、各撮影画像に対して、露出条件、ホワイトバランス条件、フォーカス条件の各種条件から評価値を算出したり、得られた撮影画像の平均輝度又はコントラスト等の情報（以下、画像パラメータという）から評価値を求めたり、更には、撮影時の手ぶれ状態などを検出し当該検出結果から評価値を算出する。そして、各撮影画像を、算出した評価値と共に記録媒体７に保存する（ステップＳ６）。なお、評価値の求め方の詳細については後述する。
【００３２】
ここで、撮影画像と評価値とを記録媒体７に保存する方法としては、撮影画像と、その撮影画像に対応する評価値とをテーブル形式で保存してもよく、撮影画像の画像データ中に評価値を埋め込むようにしてもよい。画像データ中に評価値を埋め込む方法としては、電子情報技術産業協会により制定されているＥＸＩＦ（Exchangeable Image File Format）形式の情報の一部として保存するようにしてもよい。
【００３３】
一方、ステップＳ２において、記録媒体７に空容量がないと判断された場合（ステップＳ２：Ｎｏ）、空容量を確保するための以下の処理を実行する。すなわち、先ず、消去可能な評価値の画像データがあるか否かを判断する（ステップＳ７）。撮影画像は評価値と共に記憶されているため、例えば、評価値が上述の０乃至１００で得られている場合には評価値５０未満は消去対象とするなど、消去対象となる画像データを容易に特定することができる。なお削除対象となる画像データがない場合には、撮影不能と判断して処理を終了する（ステップＳ９）。
【００３４】
ステップＳ７の処理において、消去対象となる画像データが存在する場合には、制御装置６は、当該画像データを消去する処理を実行する（ステップＳ９）ここで、この画像データの消去処理（削除処理）においては、予め設定された消去処理する優先順位に従って、又はユーザが設定した消去処理する優先順位に従って、優先順位の高い画像データから消去することができる。優先順位の設定方法としては、評価値が低いものから順に消去されるよう設定する他、評価値が最低又は所定値未満のものが複数存在する場合には、撮影された時間が早いもの（古い画像データ）から順に消去されるよう設定したり、更にはこれらを組み合わせて設定したりすることができる。
【００３５】
なお、ここでは、消去可能な画像データがあれば評価値の低いものなど、消去処理の優先順位の高いものから自動的に消去するものとして説明したが、消去するか否かの許可をユーザに確認したり、消去を禁止するよう設定する手段を別途設けるようにしてもよい。また、１回の消去処理で消去する画像データは、例えばステップＳ１における撮影指示がブラケットモードである場合にのみ必要最低枚数とし、通常モードであれば１枚のみとすることも可能である。こうして画像データを消去し、記録媒体７に空容量が確保できた場合は、ステップＳ３からの処理を実行することが可能となる。また、本実施の形態においては、また、本実施の形態においては、撮影指示がなされ、記録媒体７の空容量が所定値未満と判断されたタイミングでステップＳ７以降の消去処理を行なうものとして説明したが、撮影指示がなされたタイミング若しくは所定の空容量未満となったタイミングで実行してもよく、その他ユーザからの指示があった場合等、他のタイミングでステップＳ７以降の処理を行うようにしてもよい。
【００３６】
また、ステップＳ５、Ｓ６において、撮影画像の評価値を求めた場合、例えば評価値が最高のものは消去しない画像として保存用フォルダに保存し、評価値が最高のもの以外又は所定の基準を満たしていないものなど、消去対象となり得る画像は消去用フォルダに保存し、このフォルダの分類結果に応じてステップＳ７、Ｓ８の消去処理を実行するようにしてもよい。簡単には、記録媒体７に空容量が必要になった場合に消去用フォルダの画像を消去することができる。なお、フォルダは、消去処理の優先順位に応じて複数設けてもよいことは勿論である。
【００３７】
更に、本実施の形態においては、ステップＳ５、Ｓ６において、撮影画像を取得した際に評価値を求めることとして説明したが、表価値は、少なくともステップＳ７の処理までに求めておけばよい。したがって、評価値を求めるタイミングは、複数回の撮影操作後に複数枚の撮影画像の評価値をまとめて求めるようにしてもよく、空容量が少なくなったタイミング又はユーザの指示などにより記録媒体７に格納してある一部又は全部の撮影画像の評価値を求め、上記消去処理を行うようにしてもよい。
【００３８】
次に、評価値の算出方法について詳細に説明する。ここでは、評価値の算出方法として、オートブラケットの撮影条件に基づき評価値を求める方法、撮影画像から得られる画像パラメータに基づき評価値を算出する方法、撮影の際の手ぶれ状態に基づき評価値を算出する方法について説明する。なお、評価値を算出する方法はこれらの方法に限らず、またこれらの方法を適宜組み合わせて算出するようにしてもよいことはいうまでもない。
【００３９】
１．オートブラケットの撮影条件から評価値を求める例
マニュアル設定又は電子カメラ１０自身が自動で補正判断した条件での評価値を最大とし、そこから外れるに従って評価を下げることで評価値を求めることができる。なお、ブラケットの撮影条件から評価値を求める場合には、ブラケットの撮影条件と評価値とを予め対応づけたテーブルなどを参照するなどすれば、撮影画像に自動的かつ極めて容易に評価値を付すことができる。また、撮影条件に応じた評価値をユーザが予め適宜設定するようにしてもよい。
【００４０】
（１）ＡＥＢの場合
オートブラケットにおいて、シャッター速度の制御を行うＡＥＢにおいて、１回の撮影で、最適露出及びその前後数段ずつを撮影する。例えば、２段アンダー露出、１段アンダー露出、最適露出、１段オーバ露出、２段オーバ露出の５枚を撮影するものとした場合、下記のように評価値を求めることができる。なお、下記は、評価値の低、中、高の一例として評価値を０乃至１００としてそれぞれ２５、５０、１００を対応させた例を示す。
＋２段アンダー露出：評価値  低（＝評価値２５）
＋１段アンダー露出：評価値  中（＝評価値５０）
最適露出          ：評価値  高（＝評価値１００）
＋１段オーバ露出  ：評価値  中（＝評価値５０）
＋２段オーバ露出  ：評価値  低（＝評価値２５）
【００４１】
（２）ＡＦＢの場合
適正フォーカス位置及びその前後数段ずつを撮影するＡＦＢにおいて、前後２段ずつの合計５枚の撮影を行う場合、下記のように評価値を求めることができる。
＋２段前フォーカス  ：評価値  低
＋１段前フォーカス  ：評価値  中
最適フォーカス      ：評価値  高
＋１段後段フォーカス：評価値  中
＋２段後段フォーカス：評価値  低
【００４２】
（３）ＡＷＢの場合
適正ホワイトバランス及び適正ホワイトバランスから数段ずつずらした撮影を行うＡＷＢにおいて、３段階の計３枚の撮影を行う場合、下記のように評価値を求めることができる。
適正ＡＷＢ            ：評価値  高
適正ＡＷＢからのずれ小：評価値  中
適正ＡＷＢからのずれ大：評価値  低
【００４３】
２.撮影した撮影画像から得られる撮影パラメータに基づき評価値を求める例
撮影と同時又は撮影後に、撮影した画像データを解析し、得られる撮影パラメータから、撮影画像が適切な状態で撮影されているか否かを判断して評価値を求めることができる。
【００４４】
（１） 画像データの輝度情報を利用する例
画像データから平均輝度を求め、撮影画像の露出状態を判断する。平均輝度値が適正であれば露出も適正として評価値を高くし、平均輝度値が適正値を上回る（以下オーバという。）又は下回る（以下アンダーという。）場合は、その度合いに応じて評価値を低くすることができる。５枚を撮影した場合、下記のように評価値を求めることができる。なお、下記に示すのは、５枚のうち、適正な平均輝度値よりアンダーが２枚、オーバが２枚あった例を示している。
撮影画像の平均輝度値よりアンダー大：評価値  低
撮影画像の平均輝度値よりアンダー小：評価値  中
撮影画像の平均輝度値が適正        ：評価値  高
撮影画像の平均輝度値よりオーバ小  ：評価値  中
撮影画像の平均輝度値よりオーバ大  ：評価値  低
【００４５】
（２）画像データのコントラスト情報を利用する例
画像がくっきりしているか、ぼやけているかを数値化したコントラスト情報に基づき評価値を算出することができる。撮影時のピントが合っていればコントラストが高くなり、合っていなければコントラストが低くなる。また、手ぶれがなければコントラストが高くなり、手ブレが大きければコントラストが低くなる。よって、このコントラスト情報により、撮影画像の良否を判断する評価値を求めることができる。コントラスト情報は、撮影時に例えば制御装置６内の電子回路で求めたり、撮影後に制御装置６において画像データを解析して求めることができる。撮影時に求める方法としては、例えば、コントラスト検出方式のオートフォーカス（ＡＦ）を行う電子カメラであれば、画像信号に対するハイパスフィルタ又はバンドパスフィルタによりコントラスト情報を検出すればよい。また、撮影後に求める方法としては、取得した画像データに対してフーリエ変換又はコサイン変換を施し、高域成分の割合を求めることでコントラスト情報を求めることができる。３枚の撮影画像のコントラストが３段階であれば下記のように評価値を求めることができる。
撮影画像のコントラストが高：評価値  高
撮影画像のコントラストが中：評価値  中
撮影画像のコントラストが低：評価値  低
【００４６】
３.その他の条件から評価値を求める例
（１）加速度センサを利用する例
カメラに加速度センサを取り付け、撮影時の加速度を求める。加速度センサの値が小さいほど手ぶれが生じていないと判断することができる。よって、この加速度センサの検出結果を利用して撮影画像の良否を判断する評価値を求めることができる。なお、例えば手ぶれが生じていると判断する加速度の閾値を設け、この閾値未満であれば、全て評価値を高くし、閾値を上回った場合に手ぶれが生じたものと判断して評価値を下げるようにしてもよい。２枚の撮影をし、加速度が２種類得られた場合であって、これらを相対評価した例を下記に示す。
撮影時の加速度  小：評価値  高
撮影時の加速度  大：評価値  低
【００４７】
以上が評価値算出の例であるが、以上の方法を適宜組み合わせて評価値を得ることもできる。また。評価値を高いとする最適値の設定は自動又は手動でもよく、ユーザの好み、環境により適宜設定変更可能なものとすることができる。
【００４８】
本実施の形態においては、記録媒体７の記憶容量に余裕がある場合には、オートブラケティングによって撮影条件を変えた複数枚の撮影を行って、確実に良好な撮影画像を記録しておくことができる。また、記録媒体７の記憶容量の空が少なくなった場合には、評価値が低い、すなわち重要度が低い画像を自動的に消去することができ、新しい画像を撮影可能とすることができる。
【００４９】
なお、本発明は上述した実施の形態のみに限定されるものではなく、本発明の要旨を逸脱しない範囲において種々の変更が可能である。例えば、上述の実施の形態においては、オートブラケティングとして一の撮影条件のみを変化させたオートブラケティングについて説明したが、例えば露出条件、フォーカス条件、ホワイトバランス条件などの撮影条件を組み合わせたブラケティングであってもよいことは勿論である。この場合、評価値の算出においては、各撮影条件からそれぞれ評価値を求めることができ、それぞれの条件が最適と判断される場合に評価値を最大とすることができる。また、複数の撮影条件を組み合わせたブラケティングであっても、自動又は手動で設定された特定の撮影条件のみから評価値を求めるようにしてもよい。更に、上述したように、撮影条件以外から評価値を求めることも可能である。
【００５０】
また、ステップＳ６においてブラケット撮影後に評価値を算出するのではなく、空容量が少なくなった時点で算出するようにしてもよい。又は、撮影毎に評価値を算出して、所定の評価基準に満たない撮影画像は空容量によらず削除するモードと、空容量が所定枚数格納できる容量以下になった場合に所定の評価基準に満たない撮影画像又は最も評価が高い撮影画像を保存し、他は削除するモードとを切り替え可能にしてもよい。
【００５１】
更に、上述の実施の形態では、ハードウェアの構成として説明したが、これに限定されるものではなく、任意の処理を、ＣＰＵ（Central Processing Unit）にコンピュータプログラムを実行させることにより実現することも可能である。この場合、コンピュータプログラムは、記録媒体に記録して提供することも可能であり、また、インターネットその他の伝送媒体を介して伝送することにより提供することも可能である。
【図面の簡単な説明】
【００５２】
【図１】本発明の実施の形態にかかる電子カメラの構成を示すブロック図である。
【図２】本発明の実施の形態にかかる電子カメラの制御方法を示すフローチャートである。
【図３】従来の電子カメラの制御方法の一例を示すグローチャートである。
【符号の説明】
【００５３】
１  レンズ、２  絞り、
３  シャッタ、４  イメージセンサ、
５  フォーカス制御部、６  制御装置、
７  記録媒体、８  操作部、
１０  電子カメラ
【図１】
2006324920.tif 000003
【図２】
2006324920.tif 000004
【図３】
2006324920.tif 000005